【事件の表示】
　特願２０１０−　６４５２０「画像商品発注システム」拒絶査定不服審判事件〔平成２３年１０月　６日出願公開、特開２０１１−１９８０７６〕について、次のとおり審決する。
【結　論】
　本件審判の請求は、成り立たない。
【理　由】
１．手続の経緯
　本願は、平成２２年３月１９日の出願であって、平成２３年４月２６日付けの拒絶理由が通知され、平成２４年３月２８日付けで拒絶査定がなされた。これに対して、平成２４年６月４日に拒絶査定不服審判が請求されるとともに、同日付けで手続補正がなされたものである。
　当審から平成２４年１２月６日付けで審尋がなされ、平成２５年２月１２日付けで回答書が提出された。さらに、当審から平成２５年３月１３日付けで拒絶理由が通知され、平成２５年５月１３日付けで意見書、手続補正書が提出され、再度、当審から平成２５年６月５日付けで拒絶理由が通知され、平成２５年８月６日付けで意見書、手続補正書が提出されたものである。
　
２．本願発明
　本願請求項１に係る発明は、平成２５年８月６日付けで手続補正された特許請求の範囲の請求項１に記載された次のとおりのものと認める。（以下、「本願発明」という。なお、下線は、補正箇所を示す。）
「【請求項１】
　ネットワークを介して相互に交信可能に接続されたユーザ端末とショップサーバとを備える画像商品発注システムであって、
　前記ショップサーバは、
　前記ネットワークを介して前記ユーザ端末から取得したユーザ画像を画像データとして保存する画像データ保存部、前記ユーザ画像の加工・編集に用いられる画像編集データを保存する画像編集データ保存部、前記画像編集データを用いて前記ユーザ画像を加工・編集した後の編集画像データ
及び
　前記ネットワークを介して前記ユーザ端末から取得した前記画像データの選択指示に対して、当該選択指示で選択された画像データを前記画像データ保存部から抽出し前記ユーザ端末に前記ネットワークを介して送信するとともに、前記画像編集データ保存部に保存されている前記画像編集データを前記ユーザ端末に前記ネットワークを介して送信する画像及び編集データ送信手段と、
　前記画像編集データを用いて加工・編集された前記編集画像データを前記ネットワークを介して前記ユーザ端末から受信し
、かつ
　前記商品仕様データを用いて仕上げられた画像商品の注文データを前記ネットワークを介して前記ユーザ端末から受信
することで前記画像商品の
　前記ユーザ端末は、
　当該ユーザ端末で取得した前記画像データを前記ショップサーバに前記ネットワークを介して送信する画像データ送信手段と、
　前記画像データ保存部に保存された画像データを加工・編集したい時は当該ユーザ端末から前記ネットワークを介して前記ショップサーバにアクセスすることにより、当該ユーザに関連付けられて前記画像データ保存部に保存されている画像データを前記ユーザ端末に取り込んで該ユーザ端末の表示部に一覧表示し、該一覧の中から加工・編集したいユーザ画像を選択するとともに該選択指示に関する情報を前記ショップサーバに送信する画像データ選択手段と、
　前記選択指示に従い前記画像データ保存部から前記画像及び編集データ送信手段により前記ユーザ端末に送信されてくる前記ユーザ画像及び前記画像編集データ保存部から前記画像及び編集データ送信手段により前記ユーザ端末に送信されてくる画像編集データを前記ユーザ端末の表示部に表示し、前記画像編集データを用いて前記選択したユーザ画像の色彩、ユーザ画像の明暗、ユーザ画像のタッチ、ユーザ画像のコントラストの少なくとも１つを調整して前記選択したユーザ画像をユーザの希望する画像に加工・修
整
　前記画像データ編集手段により加工
・修整
　前記編集画像データの前記ショップサーバへの送信に伴い前記商品仕様データ送信手段により前記商品仕様データ保存部から商品仕様データを前記ユーザ端末に送信して該ユーザ端末の表示部に表示し、該表示部の表示画面から前記商品仕様データを選択することにより前記編集画像データを当該ユーザ端末のユーザに届ける画像商品に仕上げる商品仕様選択手段と、
　前記商品仕様選択手段により仕上げた画像商品の注文データを、前記ネットワークを介して前記ショップサーバに送信する注文データ送信手段と
備え
　
さらに前記ショップサーバは、前記画像商品の注文データを受信した後、注文受付確認用の画面を生成するＨＴＭＬファイルを作成して前記ユーザ端末に前記ネットワークを介して送信する注文受付確認画面送信手段を有し、
さらに前記ユーザ端末は、前記注文受付確認画面送信手段から送信された注文受付確認画面を前記ユーザ端末の表示部に表示し、該注文受付確認画面を見て前記画像商品を注文するか取り消すかの選択指示情報を前記ネットワークを介して前記ショップサーバに送信し当該選択指示情報を基に前記ショップサーバで前記画像商品の注文または取り消しを実行させる送信手段を有する、
　ことを特徴とする画像商品発注システム。」
　
３．引用例
１）引用例１
　これに対して、平成２５年６月５日付け当審の拒絶の理由に引用された、本願の出願日前である平成１３年１２月１４日に頒布された「呉　琢磨、撮りためた眠っている写真をどう活用するか！デジカメ画像思い出写真を１０倍楽しむ、ＹＯＭＩＵＲＩ　ＰＣ、日本、2008.09.01発行、第１３巻　第９号、２０−３３」（以下、「引用例１」という。）には、図面とともに次の事項が記載されている。
（１）「お勧めオンラインフォトサービス
サービス名　Ｓｎａｐｆｉｓｈ
ＵＲＬ　ｈｔｔｐ：／／ｗｗｗ．ｓｎａｐｆｉｓｈ．ｊｐ
［特徴］●
ネット上のサーバ領域に容量無制限で事由に写真を保存できる
「ｓｎａｐｆｉｓｈ」で注文
ヒューレット・パッカードが運営する「ｓｎａｐｆｉｓｈ」は、アップロードした写真を１枚１５円からプリントできる「オンラインフォトプリント」と、容量無制限でアップロードした写真を保存しておける「フォトストレージ」が融合している便利なサービスだ
ここでは、実際に写真をアップロードし、プリントを注文する流れを見ていこう。アカウントを作成すると、初回はＬ版サイズの写真を２０枚まで無料（送料別）でプリントできるので、気軽に利用できる。　
　
写真をアップロードする
１　
早速、ｓｎａｐｆｉｓｈに写真をアップロードしよう。写真の内容に合わせて「アルバム名」欄にわかりやすい名前を入力し、「このアルバムにアップロードする」をクリック
２　
次画面で「写真を選択する」をクリックすると、ファイルの選択画面が表示される
３　
印刷したい写真が保存されているフォルダーを開き、目的の写真をクリック
４　
「アルバム」に写真がアップロードされた。
（２）「アップした写真を共有する
Ｓｎａｐｆｉｓｈでは、アップロードした写真をネットワークを通じてほかのユーザと「共有」することもできる。
共有したいアルバムや写真を選び、送る相手のメールアドレスを入力すると、相手先に共有を通知するメールが送信される。メールに記載されているリンクを相手がクリックすると、ブラウザーが起動してアルバム画面が開き、共有した写真を見てもらえるという仕組みだ。
写真を直接メールに添付して送るのと違って、一度に送れる枚数や容量に制限がないため、たくさんの写真をまとめて見せたいときに大変便利だ。写真を受け取った相手は、ブラウザー上で鑑賞する以外に、アルバムの中から欲しいものだけを選んでダウンロードしたり、オンラインプリントを注文したりできる。なお、共有するアルバムを「再共有を許可する」の設定にしておくと共有相手がさらに別のユーザを招待することも可能になる。自分が指定した相手以外に見せたくなければ、設定を変更しておこう。
１　相手のパソコン
　相手先に共有を通知するメールが届く。「お友達の写真を見る」をクリックすると、ブラウザーが起動してＳｎａｐｆｉｓｈのページが開く
２　
アカウント登録を行うと、共有されたアルバムの閲覧や写真のダウンロード、プリントの発注ができるようになる
（３）「Ｓｎａｐｆｉｓｈ」でフォトギフトを作る
１　
「Ｓｎａｐｆｉｓｈ」のアカウントにログインし、グッズを作りたい写真を含むアルバムを開いた状態で、「フォトギフトを作成する」をクリック
作成可能なギフトの一覧が表示されるので、作りたいグッズを選択する
グッズの注文画面が表示されるので、下段のサムネール一覧（*１）からプリントしたい写真を１枚選んでクリック。「写真を選択する」欄に拡大表示されるので、「カートに追加」をクリック。
４　
カートの中身が表示されるので、内容と金額を確認して「チェックアウト」をクリック。あとは２９ページと同様の手順で支払い手続をすれば注文完了だ
（下線は、当審による。）
　
　これらの記載事項によると、引用例１には、
「「Ｓｎａｐｆｉｓｈ」は、写真の所有者が自分のパソコンのブラウザーからインターネット上のサーバに対して自由に写真を保存できるオンラインフォトサービスであって、
サーバは、
パソコンからアップロードした写真をアルバムとして保存でき、
パソコンは、
アップロードしたアルバムを閲覧でき、写真をダウンロードでき、
サーバは
フォトギフトを作る際には、作成可能なギフトの一覧をパソコンに送り、
パソコンは、
作成可能なギフトの一覧から作りたいグッズを選択し、
グッズの注文画面で、グッズに対してプリントしたい写真を１枚選び、カートに追加し、
カートの中身表示画面で、内容確認を行い、チェックアウトをクリックして注文を確定するか、「カートを空にする」をクリックして注文を取り消すかを選択する
オンラインフォトサービス」
　の発明（以下、「引用例１記載の発明」という。）が記載されているものと認められる。
　
２）引用例２
　平成２５年６月５日付け当審の拒絶の理由に引用された、本願の出願日前である平成２０年１０月９日に頒布された「国際公開第２００８／１２０５１７号」（以下、「引用例２」という。）には、図面とともに次の事項が記載されている。
（１）「［０００２］インターネットを利用した画像共有サービスが出現している。画像共有サービスは参加者の端末装置（クライアント端末）からサーバに写真、絵、図等の画像をアップロードして保管し、該保管された画像を参加者どうしが共有できるようにしたものである。画像共有サービスではサーバに保管された画像を参加者が自己の端末装置からの操作により任意に加工できるようにしている場合がある。この画像加工機能は従来は端末装置に、ヘルパーアプリケーションプログラム、ＡｃｔｉｖｅＸ（登録商標）プログラム、ＪａｖａＡｐｐｌｅｔプログラム等の専用の画像処理プログラムをインストールすることにより実現していた。すなわち参加者が、加工しようとする画像をサーバから端末装置にダウンロードし、該端末装置での描画操作に基づき該端末装置の画像処理プログラムで該操作に応じて加工処理を行い、加工処理が済んだ画像をサーバにアップロードして再保管するようにしていた。しかしこの従来方法によれば端末装置に専用の画像処理プログラムをインストールする必要があるため、普及の妨げになっていた。」
（２）「［００２６］ＨＴＴＰサーバ１２には画像処理プログラムがインストールされている。この画像処理プログラムは一般的なペイントソフトや画像編集（レタッチ）ソフトと同様に、様々な描画ツール（濃度表現を有する筆ツール、鉛筆、直線、曲線、塗りつぶし、消しゴム等）を使用して新規画像の作成および作成済み画像の加工を行えるものであるが、ここでは作成済み画像を描画操作対象画像として、濃度表現を有する筆ツール（以下単に「筆ツール」という）を使用して該描画操作対象画像の加工を行う場合について説明する。この実施の形態の画像処理プログラムによれば端末装置１０の操作者は筆ツールについて次の描画属性の指定を行うことができる。
（ａ）筆の色（赤、緑、青ごと）
（ｂ）筆の全体的な濃度
（ｃ）円形、楕円形などの筆の断面形状（描画形状）
（ｄ）筆の濃度分布パターン（筆の種類）
（ｅ）筆の描画サイズ
（ｆ）補間の有無
なお（ｄ）の筆の濃度分布パターンの指定で濃度表現を有する筆ツールの濃度分布パターンを指定することにより濃度表現を有する筆ツールが選択されることになる。また描画される筆の各部の濃度は「（ｂ）で指定された全体的な濃度×（ｄ）で指定された濃度分布パターン」によって決まる。この実施の形態では筆の描画形状が円形で、円の中心に近いほど濃くなるような濃度分布パターンで描画するものとする。円形の筆を指定した場合は描画サイズの指定は筆の描画半径または描画直径（この実施の形態では描画半径）の指定となる。」
（以下、「引用例２の記載事項」という。）
　
３）引用例３
　平成２５年６月５日付け当審の拒絶の理由に引用された、本願の出願日前である平成２２年２月４日に頒布された「特開２０１０−２６５４２号公報」（以下、「引用例３」という。）には、図面とともに次の事項が記載されている。
（１）「【０００２】
  インターネットを利用した画像共有サービスが出現している。画像共有サービスは参加者の端末装置（クライアント端末）からサーバに写真、絵、図等の画像をアップロードして保管し、該保管された画像を参加者どうしが共有できるようにしたものである。画像共有サービスではサーバに保管された画像を参加者が自己の端末装置からの操作により任意に加工できるようにしている場合がある。この画像加工機能は従来は端末装置に、ヘルパーアプリケーションプログラム、ＡｃｔｉｖｅＸ（登録商標）プログラム、ＪａｖａＡｐｐｌｅｔプログラム等の専用の画像処理プログラムをインストールすることにより実現していた。すなわち参加者が、加工しようとする画像をサーバから端末装置にダウンロードし、該端末装置での描画操作に基づき該端末装置の画像処理プログラムで該操作に応じて加工処理を行い、加工処理が済んだ画像をサーバにアップロードして再保管するようにしていた。しかしこの従来方法によれば端末装置に専用の画像処理プログラムをインストールする必要があるため、普及の妨げになっていた。」
（２）「【００２４】
  ＨＴＴＰサーバ１２には画像処理プログラムがインストールされている。この画像処理プログラムは一般的なペイントソフトや画像編集（レタッチ）ソフトと同様に、様々な描画ツール（濃度表現を有する筆ツール、鉛筆、直線、曲線、塗りつぶし、消しゴム等）を使用して新規画像の作成および作成済み画像の加工を行えるものであるが、ここでは作成済み画像を描画操作対象画像として、濃度表現を有する筆ツール（以下単に「筆ツール」という）を使用して該描画操作対象画像の加工を行う場合について説明する。この実施の形態の画像処理プログラムによれば端末装置１０の操作者は筆ツールについて次の描画属性の指定を行うことができる。
（ａ）筆の色（赤、緑、青ごと）
（ｂ）筆の全体的な濃度
（ｃ）円形、楕円形などの筆の断面形状（描画形状）
（ｄ）筆の濃度分布パターン（筆の種類）
（ｅ）筆の描画サイズ
（ｆ）補間の有無
なお（ｄ）の筆の濃度分布パターンの指定で濃度表現を有する筆ツールの濃度分布パターンを指定することにより濃度表現を有する筆ツールが選択されることになる。また描画される筆の各部の濃度は「（ｂ）で指定された全体的な濃度×（ｄ）で指定された濃度分布パターン」によって決まる。この実施の形態では筆の描画形状が円形で、円の中心に近いほど濃くなるような濃度分布パターンで描画するものとする。円形の筆を指定した場合は描画サイズの指定は筆の描画半径または描画直径（この実施の形態では描画半径）の指定となる。」
（以下、「引用例３の記載事項」という。）
　
４．対比
　引用例１記載の発明の「Ｓｎａｐｆｉｓｈ」は、オンラインフォトサービスであって、パソコンから、写真をネットを経由してアップロードし、アップロードした写真によって、フォトギフトを生成するものであるから、本願発明の「ネットワークを介して相互に交信可能に接続されたユーザ端末とショップサーバとを備える画像商品発注システム」であるといえる。
　引用例１記載の発明の「Ｓｎａｐｆｉｓｈ」の「サーバ」は、アップロードされた写真を蓄積する機能、蓄積した写真をパソコンにダウンロードする機能、アップロードした写真によってフォトギフトを作る機能を有していることから、本願発明の「ショップサーバ」に相当する。
　引用例１記載の発明の「パソコン」は、第２５頁の１　自分のパソコンの図から明らかなように、写真をアップロードする機能を有するとともに、フォトギフトを注文する機能を有していることから、本願発明の「ユーザ端末」に相当する機能を有する。
　引用例１記載の発明の「Ｓｎａｐｆｉｓｈ」の「サーバは、パソコンからアップロードした写真をアルバムとして保存でき、」は、写真をアルバムに保存することから、本願発明の「ネットワークを介して前記ユーザ端末から取得したユーザ画像を画像データとして保存する画像データ保存部」と同様の機能を有している。ここで、引用例１記載の発明の「Ｓｎａｐｆｉｓｈ」の「サーバ」は、特に、編集した写真を保存することは記載されていないものの、写真であれば編集したものでも保存可能であることは明らかであるから、本願発明の「ユーザ画像を加工・編集した後の編集画像データ」「を保存する商品仕様データ保存部」に相当する構成を有しているといえる。
　引用例１記載の発明の「Ｓｎａｐｆｉｓｈ」の「サーバは、」「フォトギフトを作る際には、作成可能なギフトの一覧をパソコンに送」っているから、本願発明の「ユーザ端末を使用するユーザに届ける画像商品に仕上げることに用いられる商品仕様データを保存する商品仕様データ保存部」と同等の機能を有している。ここで、引用例１記載の「Ｓｎａｐｆｉｓｈ」の「サーバ」において、アルバムや作成可能なギフトの一覧が、本願発明と同様に「データベース」で管理されていることは明らかである。
　引用例１記載の発明の「Ｓｎａｐｆｉｓｈ」は、「パソコンは、アップロードした写真をダウンロードでき」ることから、本願発明の「ネットワークを介してユーザ端末から取得した画像データの選択指示に対して、選択指示で選択された画像データを画像データ保存部から抽出しユーザ端末に前記ネットワークを介して送信するとともに、画像編集データ保存部に保存されている画像編集データをユーザ端末にネットワークを介して送信する画像」「送信手段」に相当する構成を有している。
　引用例１記載の発明の「Ｓｎａｐｆｉｓｈ」の「サーバ」は、アップロードされた写真を受信する機能を有していて、写真に対して編集の有無に関係なく受信できることは明らかである。さらに、当該「サーバ」は、作成可能なギフトの一覧を送信しているから、本願発明の「画像編集データを用いて加工・編集された編集画像データをネットワークを介してユーザ端末から受信し、かつ商品仕様データを前記ユーザ端末にネットワークを介して送信する商品仕様データ送信手段」に相当する構成を有している。
　引用例１記載の発明の「Ｓｎａｐｆｉｓｈ」は、「カートの中身表示画面で、内容確認を行い、チェックアウトをクリックして注文を確定する」は、本願発明の「商品仕様データを用いて仕上げられた画像商品の注文データをネットワークを介してユーザ端末から受信することで画像商品の注文を受け付ける注文受付手段」に相当する構成を有している。
　引用例１記載の発明の「Ｓｎａｐｆｉｓｈ」に使用される「パソコン」は、「サーバ」に対して「アップロードした写真をアルバムとして保存でき」るから、本願発明の「ユーザ端末で取得した画像データをショップサーバにネットワークを介して送信する画像データ送信手段」に相当する構成を有している。
　引用例１記載の発明の「Ｓｎａｐｆｉｓｈ」は、「パソコンは、アップロードしたアルバムを閲覧でき、写真をダウンロードでき」るから、本願発明の「画像データ保存部に保存された画像データを」「当該ユーザ端末からネットワークを介してショップサーバにアクセスすることにより、ユーザに関連付けられて画像データ保存部に保存されている画像データをユーザ端末に取り込んで該ユーザ端末の表示部に一覧表示し、該一覧の中から」「ユーザ画像を選択するとともに該選択指示に関する情報を前記ショップサーバに送信する画像データ選択手段」に相当する構成を有している。ここで、引用例１記載の発明の「Ｓｎａｐｆｉｓｈ」に用いる「パソコン」は、写真を編集の有無に関係なく「サーバ」に対して送信できるから、本願発明の「画像データを編集画像データとしてショップサーバにネットワークを介して送信して画像編集データ保存部に保存させる編集画像データ送信手段」に相当する構成を有している。
　引用例１記載の発明の「Ｓｎａｐｆｉｓｈ」において、「サーバは、フォトギフトを作る際には、作成可能なギフトの一覧をパソコンに送り、」「パソコンは、作成可能なギフトの一覧から作りたいグッズを選択」しているから、本願発明の「商品仕様データ送信手段により商品仕様データ保存部から商品仕様データをユーザ端末に送信して該ユーザ端末の表示部に表示し、該表示部の表示画面から商品仕様データを選択することにより編集画像データを当該ユーザ端末のユーザに届ける画像商品に仕上げる商品仕様選択手段」に相当する構成を有している。
　引用例１記載の発明の「Ｓｎａｐｆｉｓｈ」の「グッズの注文画面で、グッズに対してプリントしたい写真を１枚選び、カートに追加し、」は、作成するフォトグッズの内容を表示して注文を行うものであり、注文の内容は「サーバ」に送られるから、本願発明の「商品仕様選択手段により仕上げた画像商品の注文データを、ネットワークを介して前記ショップサーバに送信する注文データ送信手段」に相当する構成を有している。
　引用例１記載の発明の「Ｓｎａｐｆｉｓｈ」の「カートの中身表示画面で、内容確認を行い」において、「カートの中身表示画面」が、サーバから送られてきたものであり、ＨＴＭＬファイルで作成されていることは自明であるから、本願発明の「ショップサーバは、画像商品の注文データを受信した後、注文受付確認用の画面を生成するＨＴＭＬファイルを作成してユーザ端末にネットワークを介して送信する注文受付確認画面送信手段」に相当する構成を有している。
　引用例１記載の「Ｓｎａｐｆｉｓｈ」おいて、「パソコン」の「カートの中身表示画面で、内容確認を行い、チェックアウトをクリックして注文を確定するか、「カートを空にする」をクリックして注文を取り消すかを選択しているから、本願発明の「ユーザ端末は、前記注文受付確認画面送信手段から送信された注文受付確認画面を前記ユーザ端末の表示部に表示し、該注文受付確認画面を見て前記画像商品を注文するか取り消すかの選択指示情報を前記ネットワークを介して前記ショップサーバに送信し当該選択指示情報を基に前記ショップサーバで前記画像商品の注文または取り消しを実行させる送信手段」に相当する構成を有している。
　
　してみると、両発明の一致点、相違点は以下のとおりである。
　
［一致点］
「ネットワークを介して相互に交信可能に接続されたユーザ端末とショップサーバとを備える画像商品発注システムであって、
　前記ショップサーバは、
　前記ネットワークを介して前記ユーザ端末から取得したユーザ画像を画像データとして保存する画像データ保存部、前記ユーザ画像を加工・編集した後の編集画像データ及び前記ユーザ端末を使用するユーザに届ける画像商品に仕上げることに用いられる商品仕様データを保存する商品仕様データ保存部を有するデータベースと、
　前記ネットワークを介して前記ユーザ端末から取得した前記画像データの選択指示に対して、当該選択指示で選択された画像データを前記画像データ保存部から抽出し前記ユーザ端末に前記ネットワークを介して送信する画像送信手段と、
　編集画像データを前記ネットワークを介して前記ユーザ端末から受信し、かつ前記商品仕様データを前記ユーザ端末に前記ネットワークを介して送信する商品仕様データ送信手段と、
　前記商品仕様データを用いて仕上げられた画像商品の注文データを前記ネットワークを介して前記ユーザ端末から受信することで前記画像商品の注文を受け付ける注文受付手段とを備え、　
　前記ユーザ端末は、
　当該ユーザ端末で取得した前記画像データを前記ショップサーバに前記ネットワークを介して送信する画像データ送信手段と、
　前記画像データ保存部に保存された画像データを当該ユーザ端末から前記ネットワークを介して前記ショップサーバにアクセスすることにより、当該ユーザに関連付けられて前記画像データ保存部に保存されている画像データを前記ユーザ端末に取り込んで該ユーザ端末の表示部に一覧表示し、該一覧の中からユーザ画像を選択するとともに該選択指示に関する情報を前記ショップサーバに送信する画像データ選択手段と、
　画像データを編集画像データとして前記ショップサーバに前記ネットワークを介して送信して前記画像編集データ保存部に保存させる編集画像データ送信手段と、
　前記商品仕様データ送信手段により前記商品仕様データ保存部から商品仕様データを前記ユーザ端末に送信して該ユーザ端末の表示部に表示し、該表示部の表示画面から前記商品仕様データを選択することにより前記編集画像データを当該ユーザ端末のユーザに届ける画像商品に仕上げる商品仕様選択手段と、
　前記商品仕様選択手段により仕上げた画像商品の注文データを、前記ネットワークを介して前記ショップサーバに送信する注文データ送信手段と備え、
　さらに前記ショップサーバは、前記画像商品の注文データを受信した後、注文受付確認用の画面を生成するＨＴＭＬファイルを作成して前記ユーザ端末に前記ネットワークを介して送信する注文受付確認画面送信手段を有し、　
　さらに前記ユーザ端末は、前記注文受付確認画面送信手段から送信された注文受付確認画面を前記ユーザ端末の表示部に表示し、該注文受付確認画面を見て前記画像商品を注文するか取り消すかの選択指示情報を前記ネットワークを介して前記ショップサーバに送信し当該選択指示情報を基に前記ショップサーバで前記画像商品の注文または取り消しを実行させる送信手段を有することを特徴とする画像商品発注システム。」
　
［相違点］
（ａ）本願発明では、「ユーザ画像の加工・編集に用いられる画像編集データを保存する画像編集データ保存部」、「選択指示に従い前記画像データ保存部から前記画像及び編集データ送信手段により前記ユーザ端末に送信されてくる前記ユーザ画像及び前記画像編集データ保存部から前記画像及び編集データ送信手段により前記ユーザ端末に送信されてくる画像編集データを前記ユーザ端末の表示部に表示し、前記画像編集データを用いて前記選択したユーザ画像の色彩、ユーザ画像の明暗、ユーザ画像のタッチ、ユーザ画像のコントラストの少なくとも１つを調整して前記選択したユーザ画像をユーザの希望する画像に加工・修
整
（ｂ）本願発明は、「編集画像データのショップサーバへの送信に伴い」「商品仕様データをユーザ端末に送信」しているのに対して、引用例１記載の発明は、この様な構成ではない点。
　
５． 当審の判断
相違点について
（ａ）本願発明のように、サーバから画像をダウンロードして端末において編集を行うこと、さらには、サーバに保存された描画ツール等の編集データを利用して、端末において編集を行うことが、引用例２，３の記載事項にあるように周知事項である。
　また、本願発明が補正の内容として、「ユーザ画像の色彩、ユーザ画像の明暗、ユーザ画像のタッチ、ユーザ画像のコントラストの少なくとも１つを調整」するようにしているが、本願発明において、これらの補正の内容が、格別な処理を行うためのものでもなく、画像の編集において周知の補正の内容でしかないことから、これらの補正の内容を採用したことに技術的困難性はない。
　したがって、引用例１記載の発明の「Ｓｎａｐｆｉｓｈ」においても、写真の編集機能を持たせることは必要に応じてなし得ることであり、その編集の手段として、当該周知事項を適用し相違点（ａ）の構成とすることは、当業者が容易になし得ることである。
（ｂ）本願発明において、「編集画像データの前記ショップサーバへの送信に伴い」は、明細書の段落番号００４２を参酌すると、商品に仕上げるための修正画像を送ることによって、商品化する画像を選択し、続いて、商品仕様データを選択することと解される。
　引用例１記載の発明は、ギフトを選んだ後、写真を決定してサーバに送っているが、先に写真を決定してサーバに送るようにすることは、単に、順序の入れ替えであって、技術的困難性を要することではないから、相違点（ｂ）は当業者が容易になし得ることである。
　
　以上のとおりであるから、相違点（ａ）〜（ｂ）にかかる発明の構成は、引用例１記載の発明、引用例２，３の記載事項から当業者が容易に想到することができたものである。
　そして本願発明の効果も引用例１記載の発明、引用例２の記載事項、引用例３の記載事項から当業者が推測できる範囲のものである。
　
６．むすび
　したがって、本願発明は引用例１記載の発明、引用例２，３の記載事項に基づいて当業者が容易に発明をすることができたものであるから、特許法第２９条第２項の規定により特許を受けることができない。
　よって、結論のとおり審決する。